(57)【要約】      （修正有）【課題】ゴルフクラブを握ったままゴルフボールを拾うことが可能なゴルフボール拾い装置を提供する。【解決手段】ゴルフボール拾い装置は、本体を備える。本体の一端の連結部には収容空間が設けられ、ゴルフクラブのホーゼルは収容空間内に入れられ、本体と一体に嵌め込まれる。本体の他端のボール収納部材には収容溝が設けられ、ゴルフボールは収容溝内に入れられて収容される。【選択図】図１
0003173895.tif 000002
【実用新案登録請求の範囲】
【請求項１】
本体を備えるゴルフボール拾い装置であって、
前記本体の一端には連結部が設けられ、前記連結部には、収容空間と第一開口が設けられ、前記収容空間の構造と形状は、ゴルフクラブのホーゼルの一部を収容するために、前記ホーゼルに合わせて設けられ、前記第一開口と前記収容空間は連通し、前記ホーゼルの一部分は、前記第一開口を介して前記収容空間内に入れられて収容され、前記本体の他端はボール収納部材の一端に連結され、前記ボール収納部材には収容溝と第二開口が設けられ、前記収容溝の構造と形状は、ゴルフボールの一部分を収容するために、前記ゴルフボールに合わせて設けられ、前記第二開口と前記収容溝は連通し、前記ゴルフボールの一部は、前記第二開口を介して前記収容溝内に入れられ収容されることを特徴とする、ゴルフボール拾い装置。
【請求項２】
前記本体の他端と前記ボール収納部材の一端は、枢軸を介して一体に連結されることを特徴とする、請求項１に記載のゴルフボール拾い装置。
【請求項３】
前記本体の他端における前記枢軸に近接する位置には第一位置決め部材が設けられ、前記ボール収納部材の一端における前記枢軸に近接する位置には第二位置決め部材が設けられ、前記第二位置決め部材と前記第一位置決め部材は相互に対応し、
前記本体と前記ボール収納部材を相互の間が第一所定角度を呈するまで回転させた状況において、前記第一位置決め部材と前記第二位置決め部材は相互に嵌合され、それにより、前記本体とボール収納部材の相互の間は前記第一所定角度が維持されることを特徴とする、請求項２に記載のゴルフボール拾い装置。
【請求項４】
前記本体の他端における前記第一位置決め部材に近接する位置には第三位置決め部材が設けられ、前記第三位置決め部材と前記二位置決め部材は相互に対応し、
前記本体と前記ボール収納部材を相互の間が第二所定角度を呈するまで回転させた状況において、前記第三位置決め部材と前記第二位置決め部材は相互に嵌合され、それにより、前記本体とボール収納部材の相互の間は、前記第二所定角度が維持され、
前記本体と前記ボール収納部材を相互の間が第三所定角度を呈するまで回転させた状況において、前記第三位置決め部材は、前記ボール収納部材の第二位置決め部材から離れるまで回転し，且つ前記第二位置決め部材の前端外縁に当接し、それにより、前記本体と前記ボール収納部材の相互の間は、前記第三所定角度が維持されることを特徴とする、請求項３に記載のゴルフボール拾い装置。
【考案の詳細な説明】
【技術分野】
【０００１】
本考案はボール拾い装置に関し、特にゴルフクラブに可動に取り付けられ、ゴルフクラブを握ったままゴルフボールを拾うことが可能なゴルフボール拾い装置に関する。
【背景技術】
【０００２】
ゴルフ中に、手で拾うのが難しい場所にゴルフボールが落ちた時、使用者は、ボール拾い棒を単独で使用してボールを拾う必要がある。ボール拾い棒は、長いボール拾いアームを有しており、手で触れるのが難しい場所まで伸ばしてボールを拾うことができるものの、使用者は、ゴルフクラブと長いボール拾い棒を同時に携帯しなければならず，使用者の持ち運びの負担を増やすとともに、使用者がボールを拾う時に、ゴルフクラブを置いてボール拾い棒に持ち変えなくてはならないため、時間がかかるとともに面倒であり、使用者にとって多くの不便な問題が生じる。
【考案の概要】
【考案が解決しようとする課題】
【０００３】
前述の問題を解決するために、本考案は、ゴルフクラブを握ったままゴルフボールを拾うことが可能なゴルフボール拾い装置を提供することを目的とする。
【課題を解決するための手段】
【０００４】
本考案によるゴルフボール拾い装置は、本体を備える。前記本体の一端の連結部には収容空間が設けられ、ゴルフクラブのホーゼルは前記収容空間内に入れられ、前記本体と一体に嵌め込まれる。前記本体の他端のボール収納部材には収容溝が設けられ、ゴルフボールは前記収容溝内に入れられて収容される。
【考案の効果】
【０００５】
ゴルフボールが手で拾うのが困難な場所に落ちた時、使用者は、前記本体の一端を前記ゴルフクラブのホーゼルに取り付けるたけで、前記ゴルフクラブを持ったまま、前記本体の他端に連結されたボール収納部材によってゴルフボールを拾うことができ、腰を曲げてボールを拾うことによる腰の怪我を防ぐことができる。
【図面の簡単な説明】
【０００６】
【図１】本考案を示した斜視図である。
【図２】本考案を取り付ける前の状態を示した分解図である。
【図３】本考案を取り付けた後の状態を示した側面図である。
【図４】本考案を折り曲げる動作を示した説明図である。
【図５】本考案の溝の使用方法を示した説明図である。
【図６】本考案を使用している状態を示した説明図である。
【図７】本考案でゴルフボールを収容した状態を示した説明図である。
【図８】本考案の構造を示した分解図である。
【図９】本考案の溝の使用を示した説明図である。
【図１０】本考案の凸縁の使用方法を示した説明図である。
【図１１】本考案を開いた状態を示した説明図である。
【図１２】本考案とキーホルダーの組合せを示した説明図である。
【考案を実施するための形態】
【０００７】
本考案による好ましい実施例のゴルフボール拾い装置１０は本体１１を備え、本体１１の一端には連結部１２が設けられ、連結部１２には収容空間１２１と第一開口１２２が設けられる。
【０００８】
図２に示すように、収容空間１２１の構造と形状は、ホーゼル２１の一部分を収容するために、ゴルフクラブ２０のホーゼル２１に合わせて設けられる。第一開口１２２は収容空間１２１と連通し、ホーゼル２１の一部分は、第一開口１２２を介して収容空間１２１内に入れられる。それにより、本体１１は、図３に示すように、ゴルフクラブ２０のホーゼル２１に取り付けられて一体となる。本実施例において、連結部１２の断面はＣ形を呈し、その材質は塑性材料からなる。また、第一開口１２２の断面の幅は、ホーゼル２１の外径より小さいため、ホーゼル２１の一部分を、第一開口１２２を介して収容空間１２１に入れた後，連結部１２はホーゼル２１の外側周縁に弾性的に嵌め合わせることができる。
【０００９】
再び図１を参照する。本体１１の他端は、ボール収納部材１３の一端に連結される。ボール収納部材１３には収容溝１３１と第二開口１３２が設けられる。図１と図４に示すように、収容溝１３１の構造と形状は、ゴルフボール３０の一部分を収容するために、ゴルフボール３０に合わせて設けられる。第二開口１３２は、収容溝１３１に連通し、ゴルフボール３０は、第二開口１３２を介して収容溝１３１内に入れられ，ゴルフボール３０の一部は収容溝１３１内に収容されて簡単には落ちない。
【００１０】
以上の構造により、ゴルフ中に、ゴルフボール３０が池４０に落ちた時（図６に図示）或いはバンカー等の場所に落ちた時のように、手で拾うのが困難な状況で、図２及び図３に示すように、使用者は，本体１１の一端の連結部１２をゴルフクラブ２０のホーゼル２１に取り付ければ、ゴルフクラブ２０を持ったまま、図６と図７に示すように、本体１１の他端に連結したボール収納部材１３によってゴルフボール３０を拾うことができる。それにより、使用者は、腰を曲げたり、その他の困難な姿勢をしたりすることなく、手軽にボールを拾うことができ、腰を曲げてボールを拾うことにより腰を痛めてしまうのを防ぐことができる。また、本考案のゴルフボール拾い装置１０は、ゴルフクラブ２０に取り外し可能に取り付けられるため、使用者がボールを拾う時、ゴルフボール拾い装置を手にもっているゴルフクラブに直接取り付けることができ、ボール拾い棒に持ちかえる必要がない。そのため、ゴルフクラブを、手で触れるのが難しい場所まで伸ばして素早く簡単にボールを拾うことができ、ボール拾い棒を携帯する必要がなくなり、使用者の持ち運びの負担を大幅に減らすことができる。
【００１１】
図８に示すように、本実施例において、本体１１の他端とボール収納部材１３の一端は、枢軸１４によって一体化される。それにより、使用者がボールを拾い終わった時、図２に示すように本体１１をゴルフクラブ２０のホーゼル２１から取り外した後、図９に示すように、本体１１或いはボール収納部材１３を回転させ，本体１１及びボール収納部材１３を折り畳むことができる。以上の構造により、本考案のゴルフボール拾い装置１０を置いておく空間を縮小することができ、使用者が持ち運んだり、素早く取り出したり収納したりするのが便利になる。
【００１２】
図８と図１１に示すように、本実施例において、本体１１の他端における枢軸１４に近接する位置には第一位置決め部材１１１が設けられ、ボール収納部材１３の一端における枢軸１４に近接する位置には第二位置決め部材１３３が設けられ、第二位置決め部材１３３は、第一位置決め部材１１１に対応する。本体１１とボール収納部材１３を、相互の間が第一所定角度を呈するまで回転させた状況において、つまり、本体１１とボール収納部材１３を、相互の間が完全に開ききるまで回転させた状況において（この時、本体１１の一端からボール収納部材１３の他端の距離が最も遠くなる）、本体１１の第一位置決め部材１１１とボール収納部材１３の第二位置決め部材１３３は相互に嵌合され、それにより、本体１１とボール収納部材１３の相互の間は、第一所定角度が維持される（図１１に図示）。
【００１３】
図１と図１１に示すように、本体１１の他端における第一位置決め部材１１１に近接する位置には、第三位置決め部材１１２が設けられ、第三位置決め部材１１２は、第二位置決め部材１３３と相互に対応し、本体１１とボール収納部材１３を、相互の間が第一所定角度を呈するまで回転させた状況において、本体１１の第一位置決め部材１１１とボール収納部材１３の第二位置決め部材１３３が相互に嵌合される以外に、第三位置決め部材１１２がボール収納部材１３の一端の頂縁に当接され、本体１１とボール収納部材１３の相互の間は、第一所定角度が維持される（図１１に図示）。
【００１４】
図４と図８に示すように、本体１１とボール収納部材１３を、相互の間が第二所定角度を呈するまで回転させた状況において、つまり、本体１１とボール収納部材１３を、相互の間が半分重なるくらいまで回転させた状況において、本体１１の第三位置決め部材１１２とボール収納部材１３の第二位置決め部材１３３は相互に嵌合され、それにより、本体１１とボール収納部材１３の相互の間は、第二所定角度が維持される。
【００１５】
図８と図９に示すように、本体１１とボール収納部材１３を、相互の間が第三所定角度を呈するまで回転させた状況において、つまり、本体１１とボール収納部材１３を、相互の間が完全に重なるまで回転させた状況において（この時、本体１１の一端からボール収納部材１３の他端までの距離が最も近くなる）、第三位置決め部材１１２は、本体１１が回転するにつれて、ボール収納部材１３の第二位置決め部材１３３から離れて、第二位置決め部材１３３との嵌合が解除され、第二位置決め部材１３３の前端の外縁に当接する。それにより、本体１１とボール収納部材１３の相互の間は、第三所定角度が維持され、相互に重ねられた位置を維持させることができる。
【００１６】
再び、図１を参照する。本実施例において、ボール収納部材１３には溝１３４が設けられ、溝１３４は収容溝１３１と相互に連通する。それにより、使用者が本体１１の他端に連結されたボール収納部材１３を使ってバンカー或いは池内のゴルフボールを拾った時、ボール収納部材１３の収容溝１３１内に進入した砂や溝を溝１３４から排出することができ、収容溝１３１内に溜まることがない。また、図４と図５に示すように、使用者がゴルフボール３０を収容溝１３１内に直接置くとともに、本体１１を回転させることで、本体１１とボール収納部材１３を相互の間が第二所定角度を呈するまで回転させた状況にすると（図４に図示）、本体１１の第三位置決め部材１１２とボール収納部材１３の第二位置決め部材１３３は相互に嵌合され、本体１１とボール収納部材１３の相互の間は、第二所定角度が維持され、しいては、ゴルフボール３０を収容溝１３１内に保持させつづけることができる。この時、ゴルフボール３０の重心線は、溝１３４を通る。また、図５に示すように、使用者は、マーカー５０（例えば、油性ペン）を溝１３４に通し、溝１３４の構造と形状に沿ってゴルフボール３０に記録線を描くことができる。それにより、使用者は、本考案のゴルフボール拾い装置１０を使用して、ゴルフボール３０を収容溝１３１内に固定して挟んで、ゴルフボール３０に正確に記録線を描くことができ、使用者がゴルフクラブを振ってボールを打つ時、ゴルフボール３０に書いた記録線に狙いを定めることにより、正確にボールを打つことができ、ゴルフの成績が向上する。
【００１７】
再び図１を参照する。本実施例においては、ボール収納部材１３の他端には、少なくとも一つの凸縁１３５を備え，凸縁１３５はゴルフ場のグランドを修復するのに用いることができる。図１０と図１１に示すように、使用者は、本体１１或いはボール収納部材１３を回転させ、本体１１とボール収納部材１３を相互に重ねた後、図１１に示すように、ゴルフボール拾い装置１０を手に持ち、ボール収納部材１３の他端の凸縁１３５を斜めの角度（例えば４５度）にして凹んだゴルフ場のグランドに挿入する。続いて、凹んだ点を中心にして、凸縁１３５で周囲のゴルフ場のグランドの土を中心に向かって軽く押し、凹んだ点が周囲のゴルフ場のグランドの土で埋まるまで続け、最後に、凸縁１３５を抜きだす。こうすることで、その他の器具がなくても、ゴルフ場のグランドの修復を簡単に行うことができる。本実施例において、ボール収納部材１３の他端は少なくとも一つの凸縁１３５を有しているが、凸縁１３５の数量及び構造と形状は本実施例に限定されるものではなく、製造及び市場の実際のニーズに応じて、凸縁１３５の数量は増減される。なお、ボール収納部材１３の他端に設けられる凸縁に関し、ゴルフ場のグランドに差し込むことができるものは、いずれも本考案が使用する凸縁１３５であることとする。
【００１８】
図１２に示すように、本考案のゴルフボール拾い装置１０は、更に、キーホルダー６０を備え、キーホルダー６０には固定台座６１が設けられ、固定台座６１は工形を呈し、その頂縁と底縁の外径は固定台座６１の中央部分の外径より大きい。このため、本考案のゴルフボール拾い装置１０の連結部１２を、その中の収容空間１２１を介して固定台座６１の中央部分の外縁に取り付けることで、ゴルフボール拾い装置１０をキーホルダー６０と一体に組み合わせることができる。それにより、使用者は、一体に組み合わされたゴルフボール拾い装置１０及びキーホルダー６０を腰に掛けることができ、持ち運びに便利になる。
【符号の説明】
【００１９】
１０    ゴルフボール拾い装置
１１    本体
１２    連結部
１３    ボール収納部材
１４    枢軸
２０    ゴルフクラブ
２１    ホーゼル
３０    ゴルフボール
４０    池
５０    マーカー
６０    キーホルダー
６１    固定台座
１１１  第一位置決め部材
１１２  第三位置決め部材
１２１  収容空間
１２２  第一開口
１３１  収容溝
１３２  第二開口
１３３  第二位置決め部材
１３４  溝
１３５  凸縁
【図１】
0003173895.tif 000003
【図２】
0003173895.tif 000004
【図３】
0003173895.tif 000005
【図４】
0003173895.tif 000006
【図５】
0003173895.tif 000007
【図６】
0003173895.tif 000008
【図７】
0003173895.tif 000009
【図８】
0003173895.tif 000010
【図９】
0003173895.tif 000011
【図１０】
0003173895.tif 000012
【図１１】
0003173895.tif 000013
【図１２】
0003173895.tif 000014